(57)【特許請求の範囲】
【請求項１】
排水を貯溜可能で上端に開口が形成された有底筒状の封水室を有し、前記封水室に上方又は側方から排水が流入したときに前記封水室から溢れ出した排水を排出口から排出するように構成した排水トラップであって、
側方から前記封水室に排水を流入させる排水枝管が前記封水室の側部に形成する連通口を有し、前記連通口を上方から覆うように前記封水室内に突出して前記連通口の上端よりも下方に延び、前記連通口における流路面積を略維持するように前記封水室内に突出する封水高さ調整部材を備え、
前記封水高さ調整部材は、前記封水室の周方向に延び、前記排水枝管から前記封水室に流入する排水が流れる開口部を有し、
前記開口部の高さ方向に略直交する幅方向の開口長さは、前記排水枝管の前記連通口の幅よりも大きく、
前記封水室内には、上方から前記封水室に排水を流入させる内側筒が、該内側筒の下端が前記連通口の上端よりも下方に位置するとともに前記封水室の底部との間に隙間を形成するように挿入され、
前記封水高さ調整部材は、前記封水室内に前記内側筒側に向かって突出し、前記封水室の底部との間に前記開口部を形成する調整部を備え、
前記調整部は、前記連通口からの排水が前記開口部から前記封水室に入り込むときに経る流入空間を形成し、
前記調整部は、前記内側筒側に向かって斜め下方に延在するとともに下端が前記開口部を形成し、前記流入空間を前記内側筒側から閉塞する傾斜部を備え、
前記傾斜部は、前記内側筒の外周面から離間して配置されていることを特徴とする排水トラップ。
【請求項２】
前記封水高さ調整部材は、前記封水室の内壁に沿って前記連通口の上縁部と側縁部を囲むように配置されるとともに、前記調整部が前記内側筒側に向かって突出する本体部と、前記本体部の外面に設けられるとともに、前記排水枝管の内周面から下方に向けて突設されて前記連通口の上縁部を形成する引っ掛かりに係合可能な係合爪と、を備え、
前記係合爪は、前記本体部の外面から前記連通口の中心線が延在する方向に板状に延びて前記引っ掛かりの下方を通過した後、上方に向かうように形成されており、前記本体部の外面との間で前記引っ掛かりを、前記連通口の中心線が延在する方向に挟み込むことで、前記引っ掛かりに係合することを特徴とする請求項１に記載の排水トラップ。
【請求項３】
前記開口部は、前記周方向に略沿っていることを特徴とする請求項１又は請求項２に記載の排水トラップ。
【請求項４】
排水を貯溜可能で上端に開口が形成された有底筒状の封水室を有し、前記封水室に上方又は側方から排水が流入したときに前記封水室から溢れ出した排水を排出口から排出する排水トラップに装着され、前記封水室の側方から前記封水室に排水を流入させる排水枝管が前記封水室の側部に形成する連通口の封水高さを調整するために用いられ、前記連通口を上方から覆うように突出して前記連通口の上端よりも下方に延び、
前記連通口における流路面積を略維持するように前記封水室内に突出し、
前記封水室の周方向に延び、前記排水枝管から前記封水室に流入する排水が流れるとともに、高さ方向に略直交する幅方向の開口長さが前記排水枝管の前記連通口の幅よりも大きい開口部を形成し、
前記封水室内に挿入されて下端が前記連通口の上端よりも下方に位置するとともに前記封水室の底部との間に隙間を形成し、上方から前記封水室に排水を流入させる内側筒側に向かって前記封水室内に突出し、前記封水室の底部との間に前記開口部を形成する調整部を備え、
前記調整部は、前記連通口からの排水が前記開口部から前記封水室に入り込むときに経る流入空間を形成し、
前記調整部は、前記内側筒側に向かって斜め下方に延在するとともに下端が前記開口部を形成し、前記流入空間を前記内側筒側から閉塞する傾斜部を備え、
前記傾斜部は、前記内側筒の外周面から離間して配置されることを特徴とする排水トラップの封水高さ調整部材。
【請求項５】
前記封水室の内壁に沿って前記連通口の上縁部と側縁部を囲むように配置されるとともに、前記調整部が前記内側筒側に向かって突出する本体部と、前記本体部の外面に設けられるとともに、前記排水枝管の内周面から下方に向けて突設されて前記連通口の上縁部を形成する引っ掛かりに係合可能な係合爪と、を備え、
前記係合爪は、前記本体部の外面から前記連通口の中心線が延在する方向に板状に延びて前記引っ掛かりの下方を通過した後、上方に向かうように形成されており、前記本体部の外面との間で前記引っ掛かりを、前記連通口の中心線が延在する方向に挟み込むことで、前記引っ掛かりに係合することを特徴とする請求項４に記載の排水トラップの封水高さ調整部材。
【請求項６】
前記開口部は、前記周方向に略沿っていることを特徴とする請求項４又は請求項５に記載の排水トラップの封水高さ調整部材。
【発明の詳細な説明】
【技術分野】
【０００１】
本発明は、浴室の洗い場や、流し台、洗面台等に設けられる排水トラップ、排水トラップに装着して使用され、封水高さを調整するために用いられる封水高さ調整部材に関する。
【背景技術】
【０００２】
浴室の洗い場等において排水用の配管経路中には、下水側からの悪臭や害虫の侵入を防止するために排水トラップが設けられている。排水トラップとしては、一定の深さで排水を溜め、上端に開口が形成された封水室と、封水室の開口から溢れ出した排水を排出する排水口とを有するものがある。封水室には、洗い場に開口する内側筒が挿入されており、洗い場からの排水は、内側筒の下端の開口から封水室に流入し、排水口から排出される。さらに、封水室の側部には、浴槽に開口する排水枝管が接続されている。浴槽からの排水は、排水枝管から封水室に流入し、排水口から排出される。下水側からの悪臭などは、封水室に溜まっている排水（以下、封水という）によって進路を阻まれるので、室内に侵入することはない（例えば、特許文献１参照）。
【特許文献１】特開２００１−１８２１１８号公報
【発明の開示】
【発明が解決しようとする課題】
【０００３】
ところで、封水室に溜まっている封水の水位が排水枝管の接続高さや、内側筒の下端を下回ると、排水口と排水枝管や、排水口と内側筒が直接連通してしまって、悪臭などの侵入を阻めなくなる。このため、封水室の上端開口から排水枝管の接続位置までの長さ（以下、排水枝管の封水高さという）や、封水室の上端開口から内側筒の下端までの長さ（以下、内側筒の排水高さという）を十分に確保することが要求される。
【０００４】
ここで、排水枝管の封水高さについては、特許文献１に開示されているように、垂下片で開口を小さくすると、排水枝管の封水高さは大きくなるが、流路抵抗が大きくなって排出に要する時間が増大するので好ましくない。
排水トラップ全体としての高さを変化させて、排水枝管の接続位置を封水室の下方に設定すれば、封水高さは大きくなるが、排水トラップ全体の高さが大きくなるので浴室等への配置が難くなる。
これに対して、排水トラップ全体としての高さを変化させずに、封水室の上端開口を高い位置に設定すると、封水高さは大きくなるが、排水口を洗浄する高圧洗浄管などを挿入し難くなるという問題が生じる。
この発明は、このような事情に鑑みてなされたものであり、排水トラップの大型化を防止しつつ、十分な封水高さを確保することを主な目的とする。
【課題を解決するための手段】
【０００５】
上記の課題を解決する本発明の請求項１に係る発明は、排水を貯溜可能で上端に開口が形成された有底筒状の封水室を有し、前記封水室に上方又は側方から排水が流入したときに前記封水室から溢れ出した排水を排出口から排出するように構成した排水トラップであって、側方から前記封水室に排水を流入させる排水枝管が前記封水室の側部に形成する連通口を有し、前記連通口を上方から覆うように前記封水室内に突出して前記連通口の上端よりも下方に延び、前記連通口における流路面積を略維持するように前記封水室内に突出する封水高さ調整部材を備え、前記封水高さ調整部材は、前記封水室の周方向に延び、前記排水枝管から前記封水室に流入する排水が流れる開口部を有し、前記開口部の高さ方向に略直交する幅方向の開口長さは、前記排水枝管の前記連通口の幅よりも大きく、前記封水室内には、上方から前記封水室に排水を流入させる内側筒が、該内側筒の下端が前記連通口の上端よりも下方に位置するとともに前記封水室の底部との間に隙間を形成するように挿入され、前記封水高さ調整部材は、前記封水室内に前記内側筒側に向かって突出し、前記封水室の底部との間に前記開口部を形成する調整部を備え、前記調整部は、前記連通口からの排水が前記開口部から前記封水室に入り込むときに経る流入空間を形成し、前記調整部は、前記内側筒側に向かって斜め下方に延在するとともに下端が前記開口部を形成し、前記流入空間を前記内側筒側から閉塞する傾斜部を備え、前記傾斜部は、前記内側筒の外周面から離間して配置されていることを特徴とする排水トラップとした。
この排水トラップは、封水高さ調整部材が流路面積を減少させることなく、実質的な排水枝管の開口高さを下げる。開口高さが下がることで、排水枝管における封水高さが大きくなって破封し難くなる。また、流路面積が確保されるので、排水枝管から排水が封水室にスムーズに流れる。
また、この排水トラップは、封水高さ調整部材が周方向に延びる開口を有するので、封水室に上方から排水を流入させる内側筒との干渉が防止される。
さらに、この排水トラップは、開口が幅方向に延びることで開口高さを下げた場合でも、底部の位置を下げなくてすむ。排水トラップの外形を変えることなく、封水高さや流路面積を確保することができる。
【０００６】
請求項２に係る発明は、請求項１に記載の排水トラップにおいて、前記封水高さ調整部材は、前記封水室の内壁に沿って前記連通口の上縁部と側縁部を囲むように配置されるとともに、前記調整部が前記内側筒側に向かって突出する本体部と、前記本体部の外面に設けられるとともに、前記排水枝管の内周面から下方に向けて突設されて前記連通口の上縁部を形成する引っ掛かりに係合可能な係合爪と、を備え、前記係合爪は、前記本体部の外面から前記連通口の中心線が延在する方向に板状に延びて前記引っ掛かりの下方を通過した後、上方に向かうように形成されており、前記本体部の外面との間で前記引っ掛かりを、前記連通口の中心線が延在する方向に挟み込むことで、前記引っ掛かりに係合することを特徴とする。
請求項３に係る発明は、請求項１又は請求項２に記載の排水トラップにおいて、前記開口部は、前記周方向に略沿っていることを特徴とする。
【０００７】
請求項４に係る発明は、排水を貯溜可能で上端に開口が形成された有底筒状の封水室を有し、前記封水室に上方又は側方から排水が流入したときに前記封水室から溢れ出した排水を排出口から排出する排水トラップに装着され、前記封水室の側方から前記封水室に排水を流入させる排水枝管が前記封水室の側部に形成する連通口の封水高さを調整するために用いられ、前記連通口を上方から覆うように突出して前記連通口の上端よりも下方に延び、前記連通口における流路面積を略維持するように前記封水室内に突出し、前記封水室の周方向に延び、前記排水枝管から前記封水室に流入する排水が流れるとともに、高さ方向に略直交する幅方向の開口長さが前記排水枝管の前記連通口の幅よりも大きい開口部を形成し、前記封水室内に挿入されて下端が前記連通口の上端よりも下方に位置するとともに前記封水室の底部との間に隙間を形成し、上方から前記封水室に排水を流入させる内側筒側に向かって前記封水室内に突出し、前記封水室の底部との間に前記開口部を形成する調整部を備え、前記調整部は、前記連通口からの排水が前記開口部から前記封水室に入り込むときに経る流入空間を形成し、前記調整部は、前記内側筒側に向かって斜め下方に延在するとともに下端が前記開口部を形成し、前記流入空間を前記内側筒側から閉塞する傾斜部を備え、前記傾斜部は、前記内側筒の外周面から離間して配置されることを特徴とする排水トラップの封水高さ調整部材とした。
この封水高さ調整部材は、封水室の側部に開口する排水枝管の開口面積を維持しながら、実質的な排水枝管の開口高さを下げて封水高さを大きくする。封水高さ調整部材は、開口が幅方向に延びているので開口高さを下げた場合でも、排水トラップの底部の位置を下げなくてすむ。排水トラップの外形を変えることなく、封水高さや流路面積を確保することができる。
【０００８】
請求項５に係る発明は、請求項４に記載の排水トラップの封水高さ調整部材において、前記封水室の内壁に沿って前記連通口の上縁部と側縁部を囲むように配置されるとともに、前記調整部が前記内側筒側に向かって突出する本体部と、前記本体部の外面に設けられるとともに、前記排水枝管の内周面から下方に向けて突設されて前記連通口の上縁部を形成する引っ掛かりに係合可能な係合爪と、を備え、前記係合爪は、前記本体部の外面から前記連通口の中心線が延在する方向に板状に延びて前記引っ掛かりの下方を通過した後、上方に向かうように形成されており、前記本体部の外面との間で前記引っ掛かりを、前記連通口の中心線が延在する方向に挟み込むことで、前記引っ掛かりに係合することを特徴とする。
請求項６に係る発明は、請求項４又は請求項５に記載の排水トラップの封水高さ調整部材において、前記開口部は、前記周方向に略沿っていることを特徴とする。
【発明の効果】
【０００９】
本発明によれば、封水室の側部に開口する排水枝管の開口面積を維持しながら、排水枝管の封水高さを大きくすることができる。このため、排水とラップの外形を変化させることなく破封を防止できる。封水室を高くする必要がないので、排水口の洗浄等も容易に行える。
【発明を実施するための最良の形態】
【００１０】
本発明の実施の形態について図面を参照して詳細に説明する。
図１及び図２に示すように、排水トラップ１は、洗い場下に配置されるトラップ本体２を有し、トラップ本体２の上方からフランジ部材３、内側筒４及び目皿５を順番に挿入した構成を有する。
【００１１】
トラップ本体２は、有底円筒状の封水室１１を有し、封水室１１の側部からは排水枝管１４が一体に延設されている。排水枝管１４は、封水室１１の軸線（高さ方向）に略直交する方向に延びており、連通口１５によって封水室１１に連通している。排水枝管１４に接続される配管Ｗ２は、封水室１１の上端の開口１２よりも高い位置で不図示の浴槽の排水口に接続されている。さらに、封水室１１の上端の開口１２を囲むように、排水室１３が封水室１１と一体に成型されている。
【００１２】
排水室１３は、封水室１１の上端部の外周面を囲むように略環状の底部を有する。周方向で排水枝管１４の上方に相当する位置にある底部１３Ａは、封水室１１の上端に近い位置に延設されている。これに対して、周方向で排水枝管１４の延設位置と反対側の底部１３Ｂは、底部１３Ａよりも低く設定されている。底部１３Ａと底部１３Ｂとを繋ぐ底部は、封水室１１の外周に沿って延びつつ底部１３Ｂに向かって傾斜している。そして、最も低い位置に設けられている底部１３Ｂの位置に合わせて排水室１３の側部に排水口１６が開口している。排水室１３の側部は、円筒形状を有し、その上端は封水室１１の上端の開口１２よりも上方に延びている。排水室１３の天井面１７は、その中央に開口部１８が設けられている。開口部１８の内周面には、ネジ１８が刻まれている。この開口部１８には、フランジ部材３が螺着される。
【００１３】
フランジ部材３は、中央には、排水口３２が排水室１３内に連通するように形成された筒形状を有し、その上端にフランジ３１が径方向外側に向けて延設されている。このフランジ３１と排水室１３の天井面１７との間には、洗い場ＢＲに設けた開口部がパッキン２１を介して挟み込まれる。排水口３２の下端部は、径方向内側に環状に突出して受け部３３を形成しており、この受け部３３に内側筒４が支持されている。また、排水口３２の上端部付近には、上下方向に一対のリブ３４が周方向に略等間隔に複数突設されている。
【００１４】
内側筒４は、円筒形の筒本体４１を有し、筒本体４１の上端には、ツバ部４２が径方向外側に環状に延設されており、ツバ部４２がパッキン４３を介してフランジ部材３の受け部３３に支持される。筒本体４１は、排水口３２に挿入可能な外径を有し、内側筒４の下端はフランジ部材３に支持された状態で封水室１１に進入し、かつ封水室１１の底部１１Ａとの間に所定の隙間を形成する。
目皿５は、排水口３２を塞ぐように配置され、排水を流す開口５１が複数形成されている。目皿５の側部には、凹部５２が複数形成されている。これら凹部５２は、フランジ部材３のリブ３４に係合されるもので、フランジ部材３に装着したときには、目皿５の上面とフランジ部材３の上面とが略面一になる。
【００１５】
ここで、図１及び図３に示すように、排水枝管１４の連通口１５には、高さ調整部材６０（封水高さ調整部材）が封水室１１内に突出するように取り付けられている。
図１、図３から図５に示すように、高さ調整部材６０は、封水室１１の内壁に沿って湾曲する本体部６１と、本体部６１の内周面６１Ａから突出する調整部６２とを有する。本体部６１は、連通口１５の上縁部と側縁部を囲むように略門型になっており、外面６１Ｂには一対の突起６３と、これら突起６３の間に延びる係合爪６４とが一体に設けられている。突起６３は、排水枝管１４への位置決めのために用いられる。係合爪６４は、排水枝管１４に形成された引っ掛かり１４Ａに係合可能になっている。
【００１６】
調整部６２は、連通口１５の上縁部に略相当する位置から略水平に突出する頂部７１を有し、頂部７１は本体部６１の内周面に沿って延びている。頂部７１の先端からは、傾斜部７２が斜め下方に向けて連なっている。傾斜部７２は、下端７２Ａに向かうにつれて本体部６１との距離を徐々に増大させる。下端７２Ａは、連通口１５の中心線Ｃ１よりも低い位置まで延びている。頂部７１及び傾斜部７２のそれぞれの周方向の端部は、排水枝管１４の幅よりも広がっており、側壁部７３によって本体部６１に連結されて閉塞されている。これによって、高さ調整部材６０は、封水室１１の周方向に略沿った開口部７５を形成する。開口部７５は、高さ調整部材６０と連通口１５とで形成され、その開口面積（流路面積）は、連通口１５の開口面積（流路面積）に略等しい。開口部７５の幅方向の開口長さＬ１は、連通口１５の幅Ｌ２よりも長い。
なお、高さ調整部材６０は、ＡＢＳ樹脂のインジェクション成型などで一体に製造され、係合爪６４による嵌合と、接着剤によってトラップ本体２に強固に固定されている。
【００１７】
高さ調整部材６０によって排水枝管１４の封水高さＨ１は、傾斜部７２の下端７２Ａまで下がる。この封水高さＨ１は、内側筒４の封水高さＨ２に略等しい。なお、図中で２つの封水高さＨ１，Ｈ２は略等しいが、封水高さＨ２の方を小さくしても良いし、封水高さＨ２を大きくしても良い。
【００１８】
次に、この実施の形態の作用について説明する。
通常の使用状態では、封水室１１は上端まで排水（封水）が貯溜されている。封水室１１に連通する内側筒４内にも上端と同じ高さまで排水が貯溜されている。排水枝管１４は、排水で満たされている。
洗い場ＢＲからの排水は、目皿５を通して排水口３２に流入する。さらに、排水口３２から内側筒４を通って封水室１１に導かれる。封水室１１の水量が増えるので、一部の排水が封水室１１から排水室１３に溢れ出す。排水は、排水室１３の傾斜に沿って流れ、排水口１６から下水管Ｗ１に排出される。
浴槽からの排水は、排水枝管１４に流入する。この排水は、連通口１５から高さ調整部材６０が形成する流入空間８０を経て開口部７５から封水室１１に入り込む。高さ調整部材６０は周方向に延びる開口部７５によって十分な流路面積を確保してあるので、その流路抵抗は高さ調整部材６０が無い場合と殆ど変わらない。封水室１１の水量が増え、封水室１１から排水室１３に溢れ出した排水が排水口１６から下水管Ｗ１に排出される。
【００１９】
ここで、封水室１１の水量を徐々に減らした場合、排水枝管１４側では高さ調整部材６０の傾斜部７２の下端７２Ａを下回るまで破封にはならない。すなわち、排水枝管１４の実質的な封水高さＨ２が、従来のように高さ調整部材６０が無い場合の封水高さ（比較のために図１中に示した高さＨ３）よりも大きいので、封水が従来よりも低い位置まで減ったときでも破封が生じない。
【００２０】
高さ調整部材６０は、連通口１５を覆うように配置されているが、調整部６２の形状によって流路面積は十分に確保されており、排水枝管１４から封水室１１に至る流量は大きく減少することはない。高さ調整部材６０を通して排水するときの排水時間も高さ調整部材６０が無い場合に比べて大きく変化することはない。
【００２１】
この実施の形態によれば、高さ調整部材６０を取り付けることで排水枝管１４の位置や大きさ、封水室１１の形状を変えることなく排水枝管１４の封水高さＨ１を大きくすることができる。その結果、破封が起き難くなる。高さ調整部材６０は、流路面積を確保できるように突出した形状を有するので、排水に要する時間が大幅に増加することはない。特に、調整部６２が頂部７１によって突き出された位置から傾斜部７２を傾斜させているので、連通口１５との間の流路面積を確保できる。さらに、調整部６２の周方向の長さが連通口１５の幅よりも大きいことも流路面積の確保に寄与している。
【００２２】
ここで、高さ調整部材６０を単体の部品として取り扱い、既存の排水トラップに後付けしても良い。十分な流路面積を確保しつつ既存の排水トラップの排水枝管の実質的な開口高さを下げて封水高さを大きくすることが可能である。高さ調整部材６０は、接着剤や係合爪６４によって簡単に装着することができるので、既に浴室などの設置した排水トラップであっても容易に取り付けられる。
【００２３】
なお、本発明は前記した実施の形態に限定されずに広く応用することができる。
例えば、高さ調整部材６０を既存の排水トラップに接着剤等で取り付けて使用しても良い。高さ調整部材６０の取り付け構造は、実施の形態に限定されない。
高さ調整部材６０は、傾斜部７２のみを有しても良い。また、周方向の長さを連通口１５の開口幅と同程度にしても良い。高さ調整部材６０の取付構造は、実施の形態に限定されず種々変形することができる。
【図面の簡単な説明】
【００２４】
【図１】排水トラップの構成を示す断面図である。
【図２】排水トラップの構成を示す分解斜視図である。
【図３】図１のＡ−Ａ線に沿った断面図である。
【図４】高さ調整部材の斜視図である。
【図５】図４のＢ矢視図である。
【符号の説明】
【００２５】
１      排水トラップ
１１      封水室
１２      開口
１４      排水枝管
１５      連通口
１６      排水口
６０      高さ調整部材（封水高さ調整部材）
７５      開口部（開口）
Ｌ１      開口長さ
Ｌ２      幅（連通口の幅）
【図１】
0005111781.tif 000002
【図２】
0005111781.tif 000003
【図３】
0005111781.tif 000004
【図４】
0005111781.tif 000005
【図５】
0005111781.tif 000006